(57)【要約】【課題】暖房運転中に室外熱交換器への着霜を抑制し、暖房能力の大幅な低下を回避でき、さらには除霜運転の頻度をも低減する空気調和機を提供すること。【解決手段】本発明の空気調和機は、吹出し風の風向を上下方向に変更する上下風向羽根と、室外熱交換器温度を検出する室外熱交温度検出手段とを少なくとも有する空気調和機において、暖房運転時において、室外熱交温度検出手段で検出する室外熱交換器温度が所定の温度を下回ったときに、上下風向羽根を上方向もしくは下方向に駆動することによって通風抵抗を増やす。【選択図】図１
2011196587.tif 000002
【特許請求の範囲】
【請求項１】
吹出し風の風向を上下方向に変更する上下風向羽根と、室外熱交換器温度を検出する室外熱交温度検出手段とを少なくとも有する空気調和機において、暖房運転時において、前記室外熱交温度検出手段で検出する室外熱交換器温度が所定の温度を下回ったときに、前記上下風向羽根を上方向もしくは下方向に駆動することによって通風抵抗を増やすことを特徴とする空気調和機
【請求項２】
吹出し風の風向を左右方向に変更する左右風向羽根と、室外熱交換器温度を検出する室外熱交温度検出手段とを少なくとも有する空気調和機において、暖房運転時において、前記室外熱交温度検出手段で検出する室外熱交換器温度が所定の温度を下回ったときに、前記左右風向羽根を左方向もしくは右方向に駆動することによって通風抵抗を増やすことを特徴とする空気調和機
【発明の詳細な説明】
【技術分野】
【０００１】
本発明は、圧縮機運転周波数を可変とする空気調和機に関するものであり、より詳しくは暖房運転に関するものである。
【背景技術】
【０００２】
従来、圧縮機運転周波数可変式の空気調和機の暖房運転において、特に室外気温が低い場合、圧縮機の運転周波数を最大限に高め高暖房能力を確保していた。
【０００３】
また、この場合、圧縮機の運転周波数が高いため、圧縮機吸入圧力が低下し、室外熱交換器における冷媒蒸発温度が下がるが、さらにもとより室外気温が低いため室外熱交換器の温度が相乗的に低下し、氷点下となると、室外熱交換器に霜が付着、成長する。
【０００４】
このとき室外空気から熱を取り込む作用の効率が低下し、暖房能力が大幅に低下する。そこで、一定の条件を満たした場合、暖房運転を一時中断し、冷凍サイクルを逆に切り替えることで室外熱交換器の除霜を行う方式が広く用いられている（例えば、特許文献１、２参照）。
【先行技術文献】
【特許文献】
【０００５】
【特許文献１】特開平８−３３８６７３号公報
【特許文献２】特開平５−１０６９４５号公報
【発明の概要】
【発明が解決しようとする課題】
【０００６】
しかしながら、従来の技術では、低外気温時にはより高い暖房能力が求められるため、圧縮機の運転周波数を最大限に高める制御が一般であるが、その結果、圧縮機の運転周波数が高いため、圧縮機吸入圧力が低下し、室外熱交換器における冷媒蒸発温度が下がり、室外気温が低いと室外熱交換器の温度が相乗的に低下し、氷点下となり、室外熱交換器に霜が付着、成長する。そして、冷凍サイクルを逆方向に切り替えて除霜運転を行う。
【０００７】
ところが、除霜運転中は、暖房運転時と逆サイクルの運転となり、暖房運転を中断する必要がある。また除霜運転開始前においても、一旦着霜が始まると、霜により送風が阻害され、室外熱交換器の熱交換効率が加速度的に低下し、暖房能力が大幅に低下してしまうという課題を有していた。
【０００８】
本発明は、前記従来の課題を解決するもので、暖房運転中に室外熱交換器への着霜を抑制し、暖房能力の大幅な低下を回避でき、さらには除霜運転の頻度をも低減する空気調和機を提供することを目的とする。
【課題を解決するための手段】
【０００９】
前記従来の課題を解決するために、本発明の空気調和機は、吹出し風の風向を上下方向に変更する上下風向羽根と、室外熱交換器温度を検出する室外熱交温度検出手段とを少なくとも有する空気調和機において、暖房運転時において、室外熱交温度検出手段で検出する室外熱交換器温度が所定の温度を下回ったときに、上下風向羽根を上方向もしくは下方向に駆動することによって通風抵抗を増やすことにより、圧縮機の運転周波数が低下して室外熱交換器温度を上昇することができ、室外熱交換器への着霜を抑制することができる。
【００１０】
また、前記従来の課題を解決するために、本発明の空気調和機は、吹出し風の風向を左右方向に変更する左右風向羽根と、室外熱交換器温度を検出する室外熱交温度検出手段とを少なくとも有する空気調和機において、暖房運転時において、室外熱交温度検出手段で検出する室外熱交換器温度が所定の温度を下回ったときに、左右風向羽根を左方向もしくは右方向に駆動することによって通風抵抗を増やすことにより、圧縮機の運転周波数が低下して室外熱交換器温度を上昇することができ、室外熱交換器への着霜を抑制することができる。
【発明の効果】
【００１１】
本発明は、暖房運転中に室外熱交換器への着霜を抑制し、暖房能力の大幅な低下を回避でき、さらには除霜運転の頻度をも低減する空気調和機を提供することができる。
【図面の簡単な説明】
【００１２】
【図１】本発明の実施の形態１における空気調和機のブロック図
【図２】本発明の実施の形態２における空気調和機のブロック図
【発明を実施するための形態】
【００１３】
第１の発明の空気調和機は、吹出し風の風向を上下方向に変更する上下風向羽根と、室外熱交換器温度を検出する室外熱交温度検出手段とを少なくとも有する空気調和機において、暖房運転時において、室外熱交温度検出手段で検出する室外熱交換器温度が所定の温度を下回ったときに、上下風向羽根を上方向もしくは下方向に駆動することによって通風抵抗を増やすことにより、圧縮機の運転周波数が低下して室外熱交換器温度を上昇することができ、室外熱交換器への着霜を抑制することができる。
【００１４】
第２の発明の空気調和機は、吹出し風の風向を左右方向に変更する左右風向羽根と、室外熱交換器温度を検出する室外熱交温度検出手段とを少なくとも有する空気調和機において、暖房運転時において、室外熱交温度検出手段で検出する室外熱交換器温度が所定の温度を下回ったときに、左右風向羽根を左方向もしくは右方向に駆動することによって通風抵抗を増やすことにより、圧縮機の運転周波数が低下して室外熱交換器温度を上昇することができ、室外熱交換器への着霜を抑制することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機のブロック図を示すものである。図１において、本実施の形態１における空気調和機は、マイクロコンピュータ１と、運転周波数可変の圧縮機２ａと、吹出し風の上下風向変更を行う上下風向羽根２ｂと、室外熱交換器へ送風を行う室外送風機２ｃと、室外機電流値を検知し電流上限値を決定する電流上限値決定手段３と、外気温度を検出する外気温度検知部４ａと、室外熱交換器温度を検出してその値を前記マイクロコンピュータ１に送出する室外熱交換器温度検知部４ｂとを備えている。
【００１７】
また、マイクロコンピュータ１の内部には、室外熱交換器の上限温度、下限温度を設定してあるデータ表５と、室外熱交換器温度検知部４ｂからの室外熱交換器温度データとをデータ比較部７で比較し、演算部８で着霜状態を予測し、室内機の上下風向羽根の方向決定手段９ｂにて着霜前に室内機の回転数を変化させる動作を行うものである。なお、本実施の形態においては、圧縮機の運転周波数を決定する運転周波数決定手段９ａおよび室外送風機の回転数を決定する回転数決定手段９ｃを備えている。
【００１８】
データ表５には任意の室外熱交換器温度の場合の着霜状態が予め記録されており、室外熱交換器への着霜状態を、計測された室外熱交換器温度から類推することができる。
【００１９】
以上のように、本実施の形態においては計測された室外熱交換器温度をデータ表５と対比させ、データ表５に予め対比設定してある室外熱交換器温度の上限値より、室外熱交換器に着霜し始める前に室室内機の上下風向羽根の方向を変化させることにより、凝縮器温度が上がろうとするが、室外機の電流上限値が一定であることから、圧縮機の運転周波数が下がり、蒸発器温度が上昇し、室外熱交換器への着霜を抑制することができる。その結果、室外熱交換器の熱交換効率は確保され、室内住環境の快適性は確保される。
【００２０】
また、本実施の形態には室内温度を検出する室内空気温度検知部１０が設けられており、室内空気温度検知部１０で検出された温度により室外電流上限値を変更することにより、室内の負荷状況に応じた暖房能力の低下回避が可能となり快適性を向上させるものである。
【００２１】
さらに、本実施の形態の空気調和機は、リモートコントローラーまたは本体に設けられた本体操作スイッチ１２の操作によって、上下風向羽根の方向制御を中断できるようにしたものである。これによって、必要に応じて上記制御によらず、従来と同様の圧縮機周波数制御を行うことも可能になる。
【００２２】
（実施の形態２）
図２は、本発明の実施の形態２における空気調和機のブロック図を示すものである。図２において、本実施の形態２における空気調和機は、マイクロコンピュータ１と、運転周波数可変の圧縮機２ａと、吹出し風の上下風向変更を行う左右風向羽根２ｂ’と、室外熱交換器へ送風を行う室外送風機２ｃと、室外機電流値を検知し電流上限値を決定する電流上限値決定手段３と、外気温度を検出する外気温度検知部４ａと、室外熱交換器温度を検出してその値を前記マイクロコンピュータ１に送出する室外熱交換器温度検知部４ｂとを備えている。
【００２３】
また、マイクロコンピュータ１の内部には、室外熱交換器の上限温度、下限温度を設定してあるデータ表５と、室外熱交換器温度検知部４ｂからの室外熱交換器温度データとをデータ比較部７で比較し、演算部８で着霜状態を予測し、室内機の左右風向羽根の方向決定手段９ｂにて着霜前に室内機の回転数を変化させる動作を行うものである。なお、本実施の形態においては、圧縮機の運転周波数を決定する運転周波数決定手段９ａおよび室外送風機の回転数を決定する回転数決定手段９ｃを備えている。
【００２４】
データ表５には任意の室外熱交換器温度の場合の着霜状態が予め記録されており、室外熱交換器への着霜状態を、計測された室外熱交換器温度から類推することができる。
【００２５】
以上のように、本実施の形態においては計測された室外熱交換器温度をデータ表５と対比させ、データ表５に予め対比設定してある室外熱交換器温度の上限値より、室外熱交換器に着霜し始める前に室室内機の左右風向羽根の方向を変化させることにより、凝縮器温度が上がろうとするが、室外機の電流上限値が一定であることから、圧縮機の運転周波数が下がり、蒸発器温度が上昇し、室外熱交換器への着霜を抑制することができる。その結果、室外熱交換器の熱交換効率は確保され、室内住環境の快適性は確保される。
【００２６】
また、本実施の形態には室内温度を検出する室内空気温度検知部１０が設けられており、室内空気温度検知部１０で検出された温度により室外電流上限値を変更することにより、室内の負荷状況に応じた暖房能力の低下回避が可能となり快適性を向上させるものであ
る。
【００２７】
さらに、本実施の形態の空気調和機は、リモートコントローラーまたは本体に設けられた本体操作スイッチ１２の操作によって、左右風向羽根の方向制御を中断できるようにしたものである。これによって、必要に応じて上記制御によらず、従来と同様の圧縮機周波数制御を行うことも可能になる。
【産業上の利用可能性】
【００２８】
以上のように、本発明にかかる空気調和機は、霜により送風が阻害され、室外熱交換器の熱交換効率が加速度的に低下し、暖房能力が大幅に低下してしまう状態を回避し、暖房運転中の室外熱交換器への着霜を抑制することにより、暖房能力の大幅な低下を招くことなく、さらには除霜運転の頻度をも低減し、室内住環境の快適性を向上させるものである。
【符号の説明】
【００２９】
１  マイクロコンピュータ
２ａ  圧縮機
２ｂ  上下風向羽根
２ｂ’  左右風向羽根
２ｃ  室外送風機
３  電流上限値決定手段
４ａ  室外空気温度検知部
４ｂ  室外熱交換器温度検知部
５  データ表
１０  室内空気温度検知部
１２  本体操作スイッチ
【図１】
2011196587.tif 000003
【図２】
2011196587.tif 000004